(57)【要約】【課題】  部品点数が少なく、構成が簡単で低コストに作製でき、セレーション溝が中央一箇所で済むことで加工を容易にした可動ストライク装置を提供する。【解決手段】  扉体に付設した施錠機構側のラッチを係合するようロッカー本体側に取り付けた可動ストライク装置１であって、ストライクケース１１と可動ストライク２１とから成り、ストライクケース１１は、中央後方に可動ストライク２１のスライド面１３と、前方にラッチの遊嵌面１４とを段差部１５を介して有し、且つスライド面１３中央にセレーション溝１７を備える一方、可動ストライク２１は、前方にラッチ係合突起２５と、後方中央に前記セレーション溝１７に係止する下側突起の係止歯２６およびその上下両側に取付位置調整ボルト２２によって位置調整自在に固定できる長孔２３とを有する。【選択図】          図２
0003111290.tif 000002
【実用新案登録請求の範囲】
【請求項１】
扉体に付設されている施錠機構側のラッチを係合させるようロッカー本体側に取り付けられる可動ストライク装置であって、ストライクケースと可動ストライクとから成り、ストライクケースは、中央後方に可動ストライクのスライド面と、前方にラッチの遊嵌面とを段差部を介して有し、且つスライド面中央にセレーション溝を備える一方、可動ストライクは、前方にラッチ係合突起と、後方中央に前記セレーション溝に係止される下側突起の係止歯およびその上下両側に取付位置調整ボルトによって位置調整自在に固定される長孔とを有することを特徴とする可動ストライク装置。
【請求項２】
可動ストライクには、二股形状のラッチの一端側を係入可能とさせるようラッチ係合突起に隣接してラッチ用開口部を有して成る請求項１記載の可動ストライク装置。
【請求項３】
可動ストライクには、ラッチ係合突起とラッチの遊嵌面との間に施錠機構側のラッチガイド片を挿入させるガイド片用開口部が形成されるよう当該ラッチ係合突起の縁端側に切欠部を形成して成る請求項１または２記載の可動ストライク装置。
【考案の詳細な説明】
【技術分野】
【０００１】
本考案は、扉体に付設されている施錠機構側のラッチを係合させるためのロッカー本体側に取り付けられる可動ストライク装置に関する。
【背景技術】
【０００２】
従来から、この種の可動ストライク装置としては、特許文献１に開示されているように、中央にストライク孔を開穿し、該ストライク孔両側にセットビス孔を有するストライク板と、ローラを転動可能に担持し、且つ長孔および第１セレーションを備えた一対の摺接片を有するローラベースと、第２セレーションおよび雌ねじ孔を有する一対の固定板とから構成され、セットビスをストライク板のセットビス孔、ローラベースの長孔を貫挿させて、一対の固定板の雌ねじ孔にそれぞれ螺着させると共に、摺接片の第１セレーションと、固定板の第２セレーションとの噛合位置を変えることによりローラベースの位置を調整可能にした技術が存在する。
【０００３】
また、特許文献２に開示されているように、扉枠の彫込孔内に配設され、該彫込孔の中心孔内に遊嵌されるトロボックス、および長孔に連設した雄形セレーション溝を有するストライク本体と、該ストライク本体の表面に被装され、錠ボルト用の受入孔および螺子孔に連設した雌形セレーション溝を有するフロントプレートとから構成され、ビスをフロントプレートの螺子孔、ストライク本体の長孔を貫挿して扉枠に螺着させると共に、ストライク本体の雄形セレーション溝と、フロントプレートの雌形セレーション溝との噛合位置を変えることによりフロントプレートの位置を調整可能にした技術が存在する。
【特許文献１】特開平９−１５８５５３号公報
【特許文献２】特開２００４−１２４５０８号公報
【考案の開示】
【考案が解決しようとする課題】
【０００４】
しかしながら、従来における可動ストライク装置では、特許文献１の場合、ストライク板、ローラを転動可能に担持したローラベース、一対の固定板の４つの部材によって構成されているため、部品点数が多くなって構成が煩雑となり且つ作製コストも高くついてしまう。しかも、特許文献１においてはローラベースおよび固定板それぞれの両側に、特許文献２においてはフロントプレートおよびストライク本体それぞれの両側に、互いに噛合うセレーション溝を形成しなければならず、加工自体が非常に煩雑なものとなる等の問題点を有していた。
【０００５】
そこで本考案は叙上のような従来存した諸事情に鑑みなされたもので、部品点数が少なく、構成が簡単で低コストに作製でき、しかもセレーション溝が中央一箇所で済むことで加工を容易にすることのできる可動ストライク装置を提供することを目的とする。
【課題を解決するための手段】
【０００６】
上述した課題を解決するため、本考案にあっては、扉体に付設されている施錠機構側のラッチを係合させるようロッカー本体側に取り付けられる可動ストライク装置であって、ストライクケースと可動ストライクとから成り、ストライクケースは、中央後方に可動ストライクのスライド面と、前方にラッチの遊嵌面とを段差部を介して有し、且つスライド面中央にセレーション溝を備える一方、可動ストライクは、前方にラッチ係合突起と、後方中央に前記セレーション溝に係止される下側突起の係止歯およびその上下両側に取付位置調整ボルトによって位置調整自在に固定される長孔とを有するものである。
【０００７】
そして、前記可動ストライクには、二股形状のラッチの一端側を係入可能とさせるようラッチ係合突起に隣接してラッチ用開口部を有して成るものとすることができる。
【０００８】
さらに、可動ストライクには、ラッチ係合突起とラッチの遊嵌面との間に施錠機構側のラッチガイド片を挿入させるガイド片用開口部が形成されるよう当該ラッチ係合突起の縁端側に切欠部を形成して成るものとすることができる。
【０００９】
以上のように構成された本考案に係る可動ストライク装置にあって、取付位置調整ボルトを可動ストライクの長孔に通してストライクケースに螺着させるに際し、可動ストライクの係止歯の、ストライクケースのスライド面中央におけるセレーション溝に対する噛合位置を変えることにより可動ストライクの位置を調整可能にさせる。
【考案の効果】
【００１０】
本考案によれば、ストライクケースと可動ストライクとの２部品から構成されているため、部品点数が少なく、構成が簡単で低コストに作製でき、しかもセレーション溝が中央一箇所で済むことで加工が容易となる。
【００１１】
可動ストライクには、二股形状のラッチの一端側を係入可能とさせるようラッチ係合突起に隣接してラッチ用開口部を有して成るので、ラッチを確実に係合させる構成が簡単に作製できる。
【００１２】
可動ストライクには、ラッチ係合突起とラッチの遊嵌面との間に施錠機構側のラッチガイド片を挿入させるガイド片用開口部が形成されるよう当該ラッチ係合突起の縁端側に切欠部を形成して成るので、ラッチガイド片を挿入させる構成が簡単に作製できる。
【考案を実施するための最良の形態】
【００１３】
以下、図面を参照して本考案を実施するための最良の一形態を説明すると、図において示される符号１は、施錠機構Ｓ側のラッチＲを係合させる可動ストライク装置であって、図３に示すように、施錠機構Ｓは扉体Ｑの開放縁部側に付設され、この施錠機構Ｓに対向すべく可動ストライク装置１はロッカー本体Ｐ側の開口縁部に取り付けられる。
【００１４】
可動ストライク装置１は、図２、図３に示すように、ロッカー本体Ｐ側の開口縁部に形成された切欠凹部Ｐ１に、ビス２によって螺着固定させるための複数のビス孔３を設けた略Ｌ字形板状のストライクケース１１と、該ストライクケース１１に取付位置調整ボルト２２によって螺着固定させるための上下一対の長孔２３を取付面部２４に設けて成る可動ストライク２１とから構成されている。
【００１５】
図１、図２に示すように、ストライクケース１１は、略Ｌ字形板の折曲部にかけての略中央に凹陥部１２を設け、この凹陥部１２内に可動ストライク２１を装着させるようにしてある。すなわち、この凹陥部１２内には、中央後方に可動ストライク２１のスライド面１３と、前方にラッチＲの遊嵌面１４とが段差部１５を介して形成されている。
【００１６】
また、段差部１５には、可動ストライク２１の後述するラッチ用開口部に対向して切欠部１６が形成されている。そして、スライド面１３の略中央には、ギザ状のセレーション溝１７を横方向に形成し、さらにこのセレーション溝１７を介してのスライド面１３の上下位置には取付位置調整ボルト２２の螺子孔１８が形成されている。
【００１７】
可動ストライク２１は、凹陥部１２内の前記スライド面１３に当接配置される略矩形状の取付面部２４と、該取付面部２４の一端縁部に略Ｕ字状に折り返されて成るラッチ係合突起２５とによって構成されている。そして、取付面部２４の中央には、略コ字形状の切込部が形成されて当該切込部の内側で突出状態となった略矩形状の突起を外側に折曲して成る係止歯２６が形成され、該係止歯２６を前記セレーション溝１７に係止させるようにしてある。また、係止歯２６を介しての取付面部２４の上下両側には、貫挿される取付位置調整ボルト２２によって位置調整自在に固定される前記した長孔２３をそれぞれ設けてある。
【００１８】
また、可動ストライク２１の取付面部２４には、ラッチ係合突起２５に隣接して略矩形状のラッチ用開口部２７が形成され、このラッチ用開口部２７に、二股形状のラッチＲの一端側が係入されるようにしてある。さらに、可動ストライク２１のラッチ係合突起２５の先端縁側には略矩形状の切欠部が形成され、ラッチ係合突起２５とラッチＲの遊嵌面１４との間に施錠機構Ｓ側のラッチガイド片Ｇを挿入させるためのガイド片用開口部２８が形成されるようにしてある（図３参照）。
【００１９】
次に、以上のように構成された最良の形態についての使用、組立の一例について説明すると、図２に示すように、先ず、ロッカー本体Ｐ側の開口縁部に形成されている切欠凹部Ｐ１にストライクケース１１をビス２によって螺着固定させておく。そして、ストライクケース１１の凹陥部１２内のスライド面１３に可動ストライク２１の取付面部２４を当接配置させ、且つラッチＲの遊嵌面１４側に可動ストライク２１のラッチ係合突起２５先端側を当接配置させる。
【００２０】
次いで、取付位置調整ボルト２２を可動ストライク２１の長孔２３に通してストライクケース１１の螺子孔１８に螺着させる。このとき取付位置調整ボルト２２の螺子孔１８に対する螺着を若干緩めておき、可動ストライク２１の取付面部２４をストライクケース１１のスライド面１３上で前後にスライドさせて係止歯２６のセレーション溝１７に対する噛合位置を変えることにより可動ストライク２１の位置を予め調整しておく。そして、取付位置調整ボルト２２を螺子孔１８にきつく螺着させて固定する。
【００２１】
施錠機構Ｓを介しての扉体Ｑの施錠に際し、図３に示すように、ロッカー本体Ｐに扉体Ｑが閉鎖されると、ラッチ係合突起２５の切欠部とラッチＲの遊嵌面１４との間に形成されるガイド片用開口部２８に、施錠機構Ｓ側のラッチガイド片Ｇが挿入される。そして、施錠機構ＳによってラッチＲを回動させることで当該ラッチＲはラッチ係合突起２５に係合される。このとき、可動ストライク２１の取付面部２４においてラッチ係合突起２５に隣接して形成されたラッチ用開口部２７に、二股形状のラッチＲの一端側が係入して保持される。
【図面の簡単な説明】
【００２２】
【図１】本考案を実施するための最良の形態における可動ストライク装置の一例を示すもので、（ａ）は正面図、（ｂ）は左側面図、（ｃ）は右側面図、（ｄ）は背面図、（ｅ）は底面図、（ｆ）は（ａ）におけるＡ−Ａ断面図である。
【図２】同じく可動ストライク装置をロッカー本体側に取り付ける状態を示す一部切欠分解斜視図である。
【図３】同じく施錠状態にある可動ストライク装置を示す断面図である。
【符号の説明】
【００２３】
Ｐ    ロッカー本体
Ｑ    扉体
Ｒ    ラッチ
Ｓ    施錠機構
Ｇ    ラッチガイド片
Ｐ１  切欠凹部
１    可動ストライク装置
２    ビス
３    ビス孔
１１  ストライクケース
１２  凹陥部
１３  スライド面
１４  遊嵌面
１５  段差部
２１  可動ストライク
２４  取付面部
２５  ラッチ係合突起
２７  ラッチ用開口部
【図１】
0003111290.tif 000003
【図２】
0003111290.tif 000004
【図３】
0003111290.tif 000005